(57)【要約】【課題】扉操作ハンドルに関し、アンテナユニットを所定の位置に固定するだけで、線状アンテナの姿勢を確定することができるために、アンテナの設置が簡単で、かつ、交信性能も高めることを目的とする。【解決手段】扉１に取り付けられ、扉１の開閉操作時の手掛けとなる金属製ハンドル主体部２と、  利用者が所持する携帯器と交信して携帯器から出力されるＩＤ信号を受信する受信回路４、および受信用の線状アンテナ５を備えた交信手段とを有する扉操作ハンドルＡであって、  前記交信手段は、防水処理された内部空間に受信回路４を収容するとともに、外周壁１４の適宜箇所にアンテナ係止部６を設けた合成樹脂製のアンテナケース７を有し、  一端を給電点３６とし、他端を開放端とした線状アンテナ５を前記アンテナケース７のアンテナ係止部６に係止させて保形することにより交信手段がユニット化されることにより構成する。【選択図】  図４
2010109722.tif 000002
【特許請求の範囲】
【請求項１】
扉に取り付けられ、扉の開閉操作時の手掛けとなる金属製ハンドル主体部と、
利用者が所持する携帯器と交信して携帯器から出力されるＩＤ信号を受信する受信回路、および受信用の線状アンテナを備えた交信手段とを有する扉操作ハンドルであって、
前記交信手段は、防水処理された内部空間に受信回路を収容するとともに、外周壁の適宜箇所にアンテナ係止部を設けた合成樹脂製のアンテナケースを有し、
一端を給電点とし、他端を開放端とした線状アンテナを前記アンテナケースのアンテナ係止部に係止させて保形することにより交信手段がユニット化された扉操作ハンドル。
【請求項２】
前記受信回路が搭載される実装基板には、前記携帯器への応答要求信号を出力する送信用のバーアンテナと、
前記携帯器との交信開始信号を出力する操作ボタンとが実装される請求項１記載の扉操作ハンドル。
【請求項３】
前記アンテナケースが透明材料により形成されるとともに、
実装基板には、発光素子が実装される請求項２記載の扉操作ハンドル。
【請求項４】
合成樹脂材により形成され、中空部に実装基板を収容したアンテナケースと、
一端が実装基板に接続されるとともに他端を開放端とした線状アンテナとを有し、
前記線状アンテナは、アンテナケースの外周壁に形成されたアンテナ係止部に適宜箇所を係止されて保形されるアンテナユニット。
【請求項５】
前記線状アンテナは金属薄板材により帯状に形成される請求項４記載のアンテナユニット。
【請求項６】
前記線状アンテナはＵＨＦ帯域の電波に対する受信用アンテナとして形成されるとともに、アンテナケース内には、ＬＦ帯域の送信用のバーアンテナが収容される請求項３、４または５記載のアンテナユニット。
【発明の詳細な説明】
【技術分野】
【０００１】
本発明は扉操作ハンドルに関するものである。
【背景技術】
【０００２】
外部との交信のためのアンテナを内部に格納した扉操作ハンドルとしては特許文献１に記載のものが知られている。この従来例において、扉操作ハンドルは、アンテナコイル（アンテナ）を搭載したプリント基板を格納した取手（扉操作ハンドル）の開放面をカバーにより覆って形成される。
【０００３】
しかし、上述した従来例は、形状の定まったアンテナコイルのみをプリント基板上に実装するものであるために、アンテナの動揺、組み付け時の変形等に対する考慮を要しない反面、アンテナコイルは、長波から中波の送受信に対する適性は有するものの、ＵＨＦ帯域等の電波に対する性能は劣るために、使用周波数帯域に制限があるという問題がある。扉操作ハンドルへの交信手段の組み込みは、主として利用者が所持する携帯器固有のＩＤ信号の取得を目的としており、さらに、携帯器からの出力にはＵＨＦ帯域の電波が多用されるために、上記従来例を携帯器の認証用交信手段として利用するためにはＵＨＦ帯域等、より波長の短い周波数帯域の電波に対する利得が高く、かつ、小型化が可能なアンテナを配置する必要がある。しかし、ＵＨＦ帯域の電波に適性を有し、かつ、小型、安価な受信用アンテナをモノポールアンテナ等の線状アンテナとして形成する場合には、アンテナの特性に影響を与えるアンテナの動揺、組立作業時の変形等の発生を防止するための配慮が必要になり、組立作業性の低下をもたらす。
【０００４】
この問題は、特許文献２に示すように、アンテナケース内に受信用アンテナ部、および受信ユニットを収容してユニット化することにより解消可能であるが、この場合には以下の問題がある。すなわち、上述した特許文献２の受信ユニットは、所定箇所に固定するだけで格別のアンテナ取り付け操作を要することなくアンテナを組み付けることができる上に、アンテナケースの壁面をアンテナ保持面として利用することによりアンテナのぐらつき等を防止することができるという利点を有する反面、アンテナがアンテナケース内壁に沿って配置されるために、組み付け後のアンテナ長の調整ができないという欠点がある。
【０００５】
とりわけ、扉操作ハンドルは、防犯性を考慮した強度上の要請から金属製ハンドル主体部が大きな容積を占める。導体であり地板として機能する金属製ハンドル主体部に近接配置されたアンテナに所望のアンテナ性能を発揮させるためには、取付状態でのアンテナ性能の確認、調整の必要がより大きく、アンテナ長等の調整が不能な上記特許文献２記載の発明は、開発、設計効率を低下させ、さらに、同一のユニットを金属製ハンドル主体部の面積、位置等が異なる他機種の扉操作ハンドルに使用することができないために、汎用性にも劣るという問題がある。
【０００６】
さらに、扉操作ハンドルにおいては、携帯器への送信に電界強度の微調整が比較的容易なＬＦ波を使用して室内側に放置された携帯器との交信を制限する手法が多用されるためにＬＦ送信用アンテナと併用されることが多くなる。上述したように、波長の長いＬＦ用のアンテナにはバーコイルアンテナの使用が一般的で、可逆性（相反性）否定要素であるフェライト等の強磁性体の存在は、受信アンテナの特性に多大な影響を与えるために、アンテナ長等に対する調整の必要性はより大きくなる。
【特許文献１】特許第３５７９１０７号公報
【特許文献２】特開２００５-４５６２５号公報
【発明の開示】
【発明が解決しようとする課題】
【０００７】
本発明は、以上の欠点を解消すべくなされたものであって、アンテナの設置が簡単で、かつ、交信性能の高い扉操作ハンドルの提供を目的とする。また、本発明の他の目的は、扉操作ハンドルへの組み込みに適したアンテナユニットの提供にある。
【課題を解決するための手段】
【０００８】
扉操作ハンドルＡは扉１への開閉操作時の手掛けを提供する金属製ハンドル主体部２に線状アンテナ５を固定して形成される。線状アンテナ５は、利用者が所持する携帯器と交信して携帯器から出力されるＩＤ信号を受信する受信アンテナとして使用され、受信ユニットが収容される合成樹脂製のアンテナケース７の壁面に支えられて取付姿勢が維持された状態でアンテナケース７と一体化され、アンテナユニット１３を構成する。この結果、受信性能に影響を与える線状アンテナ５の位置、姿勢は、アンテナケース７との関係で一義的に決定されるために、組立作業時の変形、位置ずれ等が防止され、組立作業性の向上に加え、受信性能の製品毎のばらつきをなくすことができる。
【０００９】
さらに、線状アンテナ５は一端が開放されて外周壁１４に保持される。このため、線状アンテナ５の開放端はアンテナケース７外部に露出しており、アンテナユニット１３を組み立てた後でも切断することができる。この結果、金属製ハンドル主体部２による影響等を計測しながら線状アンテナ５の先端を切断してアンテナ長を変更し、アンテナ性能を最良に設定したり、あるいは金属製ハンドル主体部２の形状等が異なる製品に合致するように線状アンテナ５を切断して当該製品に共用することが可能になる。
【００１０】
加えて、アンテナユニット１３の回路部は防水シールされたアンテナケース７内に収容されるために、屋外に暴露される扉操作ハンドルＡに対しても格別の防水処理を施すことなく組み込むことが可能になる。
【００１１】
線状アンテナ５は、アンテナ性能を劣化させない限度において、アンテナケース７の全外周壁面、あるいはその一部、例えばアンテナケース７が直方体形状を有する場合、直交する２、３あるいは４側面に沿わせて配置することにより、アンテナ長をかせぐことができる。また、アンテナケース７の外側壁面は、線状アンテナ５に対してアンテナ係止部６の提供手段に過ぎないために、アンテナケース７は、線状アンテナ５の敷設経路に沿った形状とする必要はない。
【００１２】
線状アンテナ５には、ワイヤ、あるいは金属薄板により形成される帯状体を使用することが可能であり、ワイヤ状に形成する場合、アンテナ係止部６は、線状アンテナ５を十分に拘束して線状アンテナ５の変形が容易に変形しない構造が採用される。
【００１３】
これに対し、線状アンテナ５を帯状体として形成した場合、ワイヤ状に形成した場合に比して剛性が高いために形状維持性（保形性）が良好なために、アンテナ係止部６は線状アンテナ５の適宜箇所を支えるように配置すれば足りる。
【発明の効果】
【００１４】
本発明によれば、アンテナユニットを所定の位置に固定するだけで、線状アンテナの姿勢を確定することができるために、アンテナの設置が簡単で、かつ、交信性能も高めることができる。
【発明を実施するための最良の形態】
【００１５】
図１に玄関扉用のハンドル装置１６に組み込まれた本発明の実施の形態を示す。玄関扉１には、図外のアクチュエータにより駆動されるデッドボルト１７を有する電気錠１８が２箇所に固定され、扉１内部に固定されるコントローラ１９により制御される。電気錠１８、およびコントローラ１９により構成される施解錠制御システムの運用は、利用者が所持する携帯器を使用して行われる。
【００１６】
携帯器は、コントローラ１９から出力される応答要求信号の受信機能と、携帯器固有のＩＤ信号を出力する送信機能を有しており、コントローラ１９からの応答要求信号を受信し、あるいは利用者の携帯器に対する施解錠操作を検知したときに送信機能を起動してＩＤ信号を送信する。コントローラ１９が携帯器からのＩＤ信号を受信し、当該ＩＤ信号に対する認証が成立すると、電気錠１８が駆動されて施錠、あるいは解錠動作が行われる。
【００１７】
応答要求信号の交信とＩＤ信号送受信に使用する搬送波は信号の混信防止等の理由により異なった帯域の電波が使用され、応答要求信号の送受信にはＬＦ波が、ＩＤ信号の送受信にはＵＨＦ波が使用される。
【００１８】
この実施の形態においてハンドル装置１６は、ラッチ装置２０を作動させるために扉表裏に固定される２個を一対とするプッシュプルハンドル装置として構成される。図３に示すように、扉操作ハンドルＡはハンドルベース２１に連結されてハンドル装置１６の構成部品として使用される。ハンドルベース２１にはブラケット２２が固定されるとともに、扉操作ハンドルＡには連結ピース２３が固定され、扉操作ハンドルＡは、ブラケット２２と連結ピース２３とのヒンジ孔２２ａ、２３ａを貫通するヒンジピン２４を使用してハンドルベース２１に対して水平回転自在に連結される。また、連結ピース２３にはヒンジピン２４に平行するストッパピン２５が固定され、ブラケット２２の長孔２２ｂに貫通させることにより回動角が規制される。
【００１９】
ラッチ装置２０は、扉１への開放操作力の付与による反転動作をラッチストッパにより規制して扉１との係止状態を維持して閉扉１状態を維持するいわゆる反転ラッチ装置２０であり、扉１の表裏いずれか一方の扉操作ハンドルＡを押し込み、あるいは反対側の扉操作ハンドルＡを引っ張ると、扉操作ハンドルＡに固定されたレバー３３によりラッチストッパが解除され、開扉１操作が可能になる。
【００２０】
また、扉操作ハンドルＡには施解錠操作に対応した２個の操作ボタン１０、１０が配置されており、いずれかを押下すると、応答要求信号を携帯器に送信し、これに対するレスポンスに含まれるＩＤ信号に対する認証成立を条件に電気錠１８がボタン種に応じて施解錠動作する。
【００２１】
図４、５に扉操作ハンドルＡの詳細を示す。扉操作ハンドルＡは、扉１の開閉操作時における操作力を負担する強度部材としての金属製ハンドル主体部２を備える。金属製ハンドル主体部２は、操作時の手掛け部となる矩形板状のプレート部２６の一側縁から後方に連結突部２７を突出させて形成される。また、図５に示すように、連結突部２７にはピース嵌合凹部２７ａが形成され、上記連結ピース２３の固定ブロック部２３ｂが嵌合、固定される。
【００２２】
金属製ハンドル主体部２の回転中心側辺縁には合成樹脂材により形成されるフロントカバー２８とバックカバー２９が固定される。フロントカバー２８と金属製ハンドル主体部２との境界には縦方向全長にわたって透明な合成樹脂材により形成される導光バー３１が固定されるとともに、フロントカバー２８には、操作ボタン１０（押しボタンスイッチ）の露出開口２８ａが開設される。
【００２３】
上記フロントカバー２８とバックカバー２９とはビス３１により金属製ハンドル主体部２に共締めされ、これらフロントカバー２８とバックカバー２９により形成される中空部３９にアンテナユニット１３が収容される。図６以下に示すように、アンテナユニット１３は、上下カバー３２Ａ、３２Ｂを連結して形成されるアンテナケース７の中空部１２に収容される実装基板８を有する。実装基板８には、応答要求信号送信用のバーアンテナ９と、施解錠操作状態を利用者に知らせるための発光素子１１（ＬＥＤ）と、上記押しボタンスイッチ１０とが実装される。図７に示すように、下カバー３２Ｂの隅部には、図外のハーネスを引き出す引き出し口３２ａが形成される。
【００２４】
上下カバー３２Ａ、３２Ｂは、ＬＥＤ１１による発光光のアンテナケース７外部への透過の確保と、バーアンテナ９、および後述する線状アンテナ５のアンテナ性能を維持するために、透明な合成樹脂材により形成される。また、図６（ｂ）に示すように、中空部１２内への浸水を防止して実装基板８の短絡を防止するために、実装基板８が固定される下カバー３２Ｂの開口面は合成ゴム等により形成される防水パッキン３４により覆われる。理解を容易にするために、図６（ｂ）は、防水パッキン３４のみを断面指示して示す。
【００２５】
図８、９に示すように、防水パッキン３４は実装基板８上の押しボタンスイッチ１０、バーアンテナ９、およびＬＥＤ１１が嵌合する凹凸部３４ａを備え、さらに、図４、５に示すように、押しボタンスイッチ１０に対応する凹凸部３４ａにはスイッチキャップ４０が被せられてフロントカバー２８の露出開口２８ａから突出する。
【００２６】
さらに、アンテナユニット１３には、携帯器からの出力信号を受信するための線状アンテナ５が固定される。線状アンテナ５は、黄銅薄板材を切断して帯状に形成される。図７（ｂ）、８に示すように、この線状アンテナ５の一端は細幅とされた後、折り曲げられて接合端子部５ａが形成され、この接合端子部５ａを実装基板８の矩形状の貫通孔８ａに挿入した後、実装基板８の裏面に形成され、受信回路４が搭載されたサブ基板３５に接続される図示しない配線パターンにはんだ付けされて給電点３６とされる。
【００２７】
図６（ａ）に示すように、上記線状アンテナ５は、概ねアンテナケース７の外周形状を包囲するように折り曲げられた矩形枠形状に形成される。線状アンテナ５は、アンテナケース７の外周部１４を利用した支持を容易にして線状アンテナ５の動揺を抑え、さらに実装スペースを可及的に小さくするために、アンテナケース７の外周形状に対する最小包囲矩形の辺縁に沿って折り曲げた矩形枠形状に形成するのが望ましい。
【００２８】
この実施の形態において、線状アンテナ５は、給電点３６から包囲矩形の短辺部３２ｂのほぼ中心に引き出された後、当該短辺部３２ｂ、およびこれに隣接する長辺部３２ｃ、さらに、隣接する他の短辺部３２ｂに沿う直線部を有しており、自由端部５ｃにはアンテナケース７の外形に沿う折り曲げ部５ｂが形成される。
【００２９】
以上のように構成される線状アンテナ５のぐらつきを防止し、アンテナユニット１３全体を剛に一体化するために、アンテナケース７には、アンテナ係止部６が設けられる。アンテナ係止部６はアンテナケース７の長辺部３２ｃと、線状アンテナ５の自由端対応部に形成され、図６（ｃ）に示すように、線状アンテナ５の自由端対応部に配置されるアンテナ係止部６は、上下ケース３２Ａ、３２Ｂから線状アンテナ５の跳ね上がりを押さえ付けるための押さえ突起６ａを突出して形成される。
【００３０】
これに対し、長辺部３２ｃのアンテナ係止部６は、図７に示すように、下ケース３２Ｂの長辺壁面から突設されて長辺壁面との間に嵌合溝を形成する断面Ｌ字形状の支持壁６ｂと、長辺壁面の適宜箇所から突出して嵌合溝の幅を狭くする狭幅突起６ｃとから形成される。
【００３１】
給電点３６において線状アンテナ５を接続した実装基板８は、まず下カバー３２Ｂにビス等を使用して固定され、さらに、線状アンテナ５の給電点３６近傍を下カバー３２Ｂにネジ止めしてはんだ接合箇所への応力発生を防止する。図７（ｂ）において５ｄは線状アンテナ５に設けられたビス挿通孔、３２ｅは下カバー３２Ｂに形成された雌ねじ部、図７（ａ）において３７は実装基板８を下カバー３２Ｂに固定するビスを示す。
【００３２】
実装基板８の下カバー３２Ｂへの固定に際し、線状アンテナ５はアンテナ係止部６に差し込むようにして位置決めされ、次いで、上カバー３２Ａを固定することにより自由端部５ｃが固定され、アンテナカバー３２に対する線状アンテナ５の動揺が規制される。図６（ｂ）に示すように、アンテナユニット１３を組み立てた状態で、線状アンテナ５の自由端部５ｃはアンテナ係止部６から張り出した状態となっており、この張り出し部５ｅを適宜に切断することができる。
【００３３】
以上のように構成されるアンテナユニット１３は、まず、図４、５に示すように、フロントカバー２８にネジ止めされた後、フロントカバー２８とともに、バックカバー２９、および金属製ハンドル主体部２に固定される。この状態で携帯器との交信を行って所望のアンテナ性能が発揮されていない場合には、上述した線状アンテナ５の張り出し部５ｅを適宜長切断してアンテナ長を調整することができる。
【００３４】
アンテナユニット１３を固定した状態でアンテナユニット１３内のＬＥＤ１１は導光バー３１に正対し、発光部を構成する。利用者が施解錠操作を行うと、動作内容によってＬＥＤ１１が発光し、導光バー３１が光るので利用者に電気錠１８の動作状態を知らせることができる。
（付記）
（付記１）
扉に取り付けられ、扉の開閉操作時の手掛けとなる金属製ハンドル主体部と、
利用者が所持する携帯器と交信して携帯器から出力されるＩＤ信号を受信する受信回路、および受信用の線状アンテナを備えた交信手段とを有する扉操作ハンドルであって、
前記交信手段は、防水処理された内部空間に受信回路を収容するとともに、外周壁の適宜箇所にアンテナ係止部を設けた合成樹脂製のアンテナケースを有し、
一端を給電点とし、他端を開放端とした線状アンテナを前記アンテナケースのアンテナ係止部に係止させて保形することにより交信手段がユニット化した扉操作ハンドル。
（付記２）
前記受信回路が搭載される実装基板には、前記携帯器への応答要求信号を出力する送信用のバーアンテナと、
前記携帯器との交信開始信号を出力する操作ボタンとが実装される付記１記載の扉操作ハンドル。
（付記３）
前記交信手段は、金属製ハンドル主体部の一側縁部に配置される付記１または２記載の扉操作ハンドル。
（付記４）
前記アンテナケースが透明材料により形成されるとともに、
実装基板には、発光素子が実装される付記１、２または３記載の扉操作ハンドル。
（付記５）
前記金属製ハンドル主体部と合成樹脂製カバーとの境界縁には、扉の施解錠操作結果を表示する発光部が辺縁全長にわたって配置される付記４記載の扉操作ハンドル。
（付記６）
合成樹脂材により形成され、中空部に実装基板を収容したアンテナケースと、
一端が実装基板に接続されるとともに他端を開放端とした線状アンテナとを有し、
前記線状アンテナは、アンテナケースの外周壁に形成されたアンテナ係止部に適宜箇所を係止されて保形されるアンテナユニット。
（付記７）
前記線状アンテナは金属薄板材により帯状に形成される付記６記載のアンテナユニット。
（付記８）
前記線状アンテナはＵＨＦ帯域の電波に対する受信用アンテナとして形成されるとともに、アンテナケース内には、ＬＦ帯域の送信用のバーアンテナが収容される付記５、６または７記載のアンテナユニット。
【図面の簡単な説明】
【００３５】
【図１】ハンドル装置を扉に取り付けた図で、（ａ）は側面図、（ｂ）は正面図である。
【図２】本発明のハンドル装置を示す図で、（ａ）は図１（ｂ）の２Ａ-２Ａ線断面図、（ｂ）は（ａ）の２Ｂ方向矢視図である。
【図３】ハンドル装置の分解斜視図である。
【図４】扉操作ハンドルの分解斜視図である。
【図５】図４を背面方向からみた図である。
【図６】アンテナユニットを示す図で、（ａ）は正面図、（ｂ）は（ａ）の６Ａ-６Ａ断面図、（ｃ）は斜視図である。
【図７】アンテナユニットの上カバーを取り外した状態を示す図で、（ａ）は正面図、（ｂ）は線状アンテナの取り付けを示す図、（ｃ）は（ｂ）の７Ｃ-７Ｃ線断面図である。
【図８】アンテナユニットの組付けを示す図である。
【図９】図８を背面方向からみた図である。
【符号の説明】
【００３６】
１    扉
２    金属製ハンドル主体部
４    受信回路
５    線状アンテナ
６    アンテナ係止部
７    アンテナケース
８    実装基板
９    バーアンテナ
１０  操作ボタン
１１  発光素子（ＬＥＤ）
１２  中空部
１３  アンテナユニット
１４  外周壁
Ａ    扉操作ハンドル
【図１】
2010109722.tif 000003
【図２】
2010109722.tif 000004
【図３】
2010109722.tif 000005
【図４】
2010109722.tif 000006
【図５】
2010109722.tif 000007
【図６】
2010109722.tif 000008
【図７】
2010109722.tif 000009
【図８】
2010109722.tif 000010
【図９】
2010109722.tif 000011